(57)【要約】【課題】従来の基礎型枠は、重量物でかつ長尺であるため搬入や構築の作業効率が悪く、再利用の作業が加わると、作業効率が更に悪化するという問題があった。発泡樹脂材利用の提案はされているが、設置作業及び撤去作業に問題がある。【解決手段】地上面から一定高さで、発泡樹脂素材の内外側断熱型板を基礎コンクリート枠体の厚みを保持して立設し、内側断熱型板はコンクリート地上面に打設した基礎コンクリート土台上に一定高さに立設し、外側断熱型板は下半分を基礎コンクリート土台の外端面に当接すると共に、上半分を地上面に突出し、内外側断熱型板間にコンクリート打設による基礎コンクリート枠体を形成するよう構成した。【選択図】図１
2019157614.tif 000002
【特許請求の範囲】
【請求項１】
地上面から一定高さで、発泡樹脂素材の内外側断熱型板を基礎コンクリート枠体の厚みを保持して立設し、内側断熱型板はコンクリート地上面に打設した基礎コンクリート土台上に一定高さに立設し、外側断熱型板は下半分を基礎コンクリート土台の外端面に当接すると共に、上半分を地上面に突出し、内外側断熱型板間にコンクリート打設による基礎コンクリート枠体を形成した家屋の基礎型枠構造。
【請求項２】
基礎コンクリート土台は、掘削した地下基礎面上に打設した捨てコンクリート上にコンクリートを打設する部分と、敷設した断熱材上にコンクリートを打設する部分とから構成することにより地上面との一定高さの間に形成したことを特徴とする請求項１記載の家屋の基礎型枠構造。
【請求項３】
外側断熱型板を地上面との間に伸縮自在に架設した突っかい棒を介して外側断熱型板を立設固定する工程と、
地下と地上とにわたって外側断熱型板の内側面に当接するように所定厚みの基礎コンクリート土台を鉄筋と共に打設する工程と、
該コンクリート土台の上に内側断熱型板を立設固定する工程と、
内外側断熱型板間にコンクリートを打設して基礎コンクリート土台と連続した一定厚みの基礎コンクリート枠体を構築する工程と、
基礎コンクリート枠体の養生後に突っかい棒を除去する工程とよりなることを特徴とする家屋の基礎型枠構築方法。
【請求項４】
外側断熱型板の外側面にモルタルを塗布する工程を付加したことを特徴とする請求項３記載の家屋の基礎型枠構築方法。
【請求項５】
内外側断熱型板を立設した後に両型枠の上端部間に型板セパレータを架設する工程を付加したことを特徴とする請求項３又は４記載の家屋の基礎型枠構築方法。
【請求項６】
型板セパレータには、基礎コンクリート枠体上に家屋土台を連設固定するためのアンカー保持部を形成する工程を付加したことを特徴とする請求項３乃至５のいずれか１項に記載の家屋の基礎型枠構築方法。
【発明の詳細な説明】
【技術分野】
【０００１】
本発明は、家屋の基礎型枠構造及び基礎型枠の構築方法に関する。
【背景技術】
【０００２】
従来、家屋の基礎コンクリート枠体を打設形成するために使用する基礎型枠は金属や材木で形成されており、重量物でかつ長尺であるため搬入や取付けの作業効率が悪いという問題があった。また、基礎型枠はコンクリート打設後に型枠の脱着、運搬という重労働が生じるため、コンクリートが硬化乾燥した際に取り外せるように基礎型枠とコンクリートとの接触面には離型剤を塗布し、作業効率が更に悪化するという問題があった。
【０００３】
このような問題に対し、例えば特許文献１乃至２に開示された技術が提案されている。
例えば、特許文献１には、矩形の発泡合成樹脂製の板体を対向させて配置し、その板面間を連結部材により連結した構造のコンクリート基礎の型枠において、これらの発泡合成樹脂製板体の各々の外側板面に帯状剛性板を添設し、該帯状剛性板に上記連結部材を固定した構造としたコンクリート基礎の型枠が開示されている。
【０００４】
特許文献２には、対向して設置された合成樹脂発泡体製のコンクリート打設用型枠の両頂部の開きを防止するために、両頂部間に架け渡される頂面部と、同型枠の両側部の膨れを防止するために該頂面部の両端縁にそれぞれ垂下して連設され、表面側に端太材を横架するために略Ｌ字状に突設された端太材係止片を有する二つの側面部と、自体を設置面に固定するために該側面部の終端にそれぞれ外方に向かって連設された脚部とからなる、縦断面ハット型形状を有するコンクリート打設用型枠の固定具が開示されている。
【０００５】
また、対向して設置されたコンクリート打設用型枠の両頂部に、該複数個のコンクリート打設用型枠の固定具を被せ、それぞれの両脚部を設置面に固定すると共に、両側面部の端太材係止片に端太材を横架してなる、コンクリート打設用型枠の固定法が開示されている。
【先行技術文献】
【特許文献】
【０００６】
【特許文献１】特開平１１−１００８５２号公報
【特許文献１】特開平１１−３４３７３６号公報
【発明の概要】
【発明が解決しようとする課題】
【０００７】
しかし、上記特許文献１及び２に開示された技術は、いずれも発泡樹脂材の変形抑制のために大掛かりな設置作業及び撤去作業が必要となる問題がある。また、これらの技術は、家屋の柱や壁の部分を支える建築基礎構造に関するものであり、基礎の上部に家屋の床面を形成して使用するため、床下空間が形成されることを前提としている。
【０００８】
本発明は、上記のような問題点に鑑みてなされたものであり、基礎コンクリート枠体に区画されることで形成された地上面の空間を家屋内で有効利用する建築型枠において、基礎コンクリート打設用の型枠として使用した発泡樹脂材からなる断熱パネルを、そのまま当該基礎コンクリート枠体の外側面及び内側面とすることによって、外気に遮断された断熱、遮音及び防湿性を有する快適空間として利用可能な区画を形成する家屋の基礎型枠構造及び基礎型枠の構築方法を提供することを目的とする。
【課題を解決するための手段】
【０００９】
上記課題を解決するために、本発明に係る家屋の基礎型枠構造は、地上面から一定高さで、発泡樹脂素材の内外側断熱型板を基礎コンクリート枠体の厚みを保持して立設し、内側断熱型板はコンクリート地上面に打設した基礎コンクリート土台上に一定高さに立設し、外側断熱型板は下半分を基礎コンクリート土台の外端面に当接すると共に、上半分を地上面に突出し、内外側断熱型板間にコンクリート打設による基礎コンクリート枠体を提供するものである。
【００１０】
また、基礎コンクリート土台は、掘削した地下基礎面上に打設した捨てコンクリート上にコンクリートを打設する部分と、敷設した断熱材上にコンクリートを打設する部分とから構成することにより地上面との一定高さの間に形成することを特徴とするものである。
【００１１】
また、家屋の基礎型枠の構築方法は、外側断熱型板を地上面との間に伸縮自在に架設した突っかい棒を介して外側断熱型板を立設固定する工程と、地下と地上とにわたって外側断熱型板の内側面に当接するように所定厚みの基礎コンクリート土台を鉄筋と共に打設する工程と、該コンクリート土台の上に内側断熱型板を立設固定する工程と、内外側断熱型板間にコンクリートを打設して基礎コンクリート土台と連続した一定厚みの基礎コンクリート枠体を構築する工程と、基礎コンクリート枠体の養生後に突っかい棒を除去する工程とよりなることを特徴とするものである。
【００１２】
また、外側断熱型板の外側面にモルタルを塗布する工程を付加したことを特徴とするものである。
【００１３】
また、内外側断熱型板を立設した後に両型枠の上端部間に型板セパレータを架設する工程を付加したことを特徴とするものである。
【００１４】
また、型板セパレータには、基礎コンクリート枠体上に家屋土台を連設固定するためのアンカー保持部を形成する工程を付加したことを特徴とするものである。
【発明の効果】
【００１５】
請求項１の発明によれば、建築家屋の基礎を形成するためのコンクリート打設用の基礎型枠を、軽量な発泡樹脂材からなる断熱パネルで構成することにより、家屋の基礎コンクリート枠体を打設形成するために使用する基礎型枠は金属や材木で形成されており、重量物でかつ長尺であるため搬入や取付けの作業効率が悪いという問題や、基礎型枠はコンクリート打設後に型枠の脱着、運搬という重労働や、取り外して再利用するために、コンクリートが硬化乾燥した際に取り外せるように基礎型枠とコンクリートとの接触面には離型剤を塗布し、作業効率が更に悪化するという問題を悉く解消すると共に、断熱パネルはプレカット後現場へ直接資材会社から搬入されるため基礎形成作業員による搬入労力が不要となり、断熱パネルは計量であるため型枠取付作業にも労力を必要とせず、従来のような型枠取り外し作業や清掃作業も不要となる顕著な効果を奏する。
【００１６】
また、基礎コンクリート打設用の型枠として使用した発泡樹脂材からなる断熱パネルを、そのまま当該基礎コンクリート枠体の外側面及び内側面として使用することによって、基礎コンクリート枠体の区画内の上部空間を断熱、遮音及び防湿性を備えた外気を遮断する居住空間に近似した有効空間として利用することが可能となり、家屋内に形成した上下空間の有効利用性が増大する効果を奏する。
【００１７】
請求項２の発明によれば、コンクリート地上面に敷設した基礎コンクリート土台は、掘削した地下基礎面上に打設した捨てコンクリート上にコンクリートを打設する部分と、敷設した断熱材上にコンクリートを打設する部分とから構成することにより地上面との一定高さの間に形成したものであるため、地面からの浸水や冷気及び湿気の侵入を防止することができる効果を奏する。
【００１８】
請求項３の発明によれば、外側断熱型板と地上面との間に伸縮自在の突っかい棒を架設して外側断熱型板を立設固定する工程と、地下と地上とにわたって外側断熱型板の内側面に当接するように所定厚みの基礎コンクリート土台を鉄筋と共に打設する工程と、該基礎コンクリート土台の上に内側断熱型板を立設固定する工程と、内外側断熱型板間にコンクリートを打設して基礎コンクリート土台と連続した一定厚みの基礎コンクリート枠体を構築する工程と、基礎コンクリート枠体の養生後に突っかい棒を除去する工程とよりなるものであるため、前記のとおり従来工法に比べて、搬入や構築の作業効率を大幅に改善するとともに、工事における作業員の肉体的負担が大幅に軽減され、ひいては工期短縮の効果も奏する。
【００１９】
請求項４の発明によれば、請求項３の発明に、さらに、外側断熱型板の外側面にモルタルを塗布する工程を付加したものであり、重量物となりうる型枠の撤去が不要となり、工事完了後に撤去が必要なものは小物の金具類だけで済み、撤去作業の負担が大幅に軽減されると共に、搬出や輸送負担も軽減される。
【００２０】
さらに、内外側断熱型板が発泡樹脂材からなる断熱パネルで形成することで、その両側面に断熱、遮音及び防湿性能を構築することができるとともに、発泡樹脂材に防蟻処理をすることで白蟻の侵入を防止する効果を奏する。
また、外側断熱型板の外側面にモルタルを塗布することで発泡樹脂材が太陽光からの紫外線や雨水に直接晒されることがないため、発泡樹脂材の劣化を抑制することができ、その効果を長期にわたり維持することができる。
【００２１】
請求項５の発明によれば、請求項３の発明に、さらに、内外側断熱型板の立設が完了した後に両型枠の上端面間に型板セパレータを架設する工程を付加したものであるため、簡単な構造でコンクリートを打設した際の外側への押圧力を支えることができると共に、内外側断熱型板間の間隔を一定に維持することができる効果を奏する。
【００２２】
請求項６の発明によれば、請求項３の発明に、さらに、型板セパレータには、基礎コンクリート枠体上に家屋土台を連設固定するためのアンカー保持部を形成する工程を付加したものであるため、アンカーボルトの位置決めやアンカーボルトの立設作業を容易に行うことができる効果を奏する。
【図面の簡単な説明】
【００２３】
【図１】本発明の実施形態に係る家屋の基礎型枠構造を示す断面図である。
【図２】本発明の実施形態に係る家屋の基礎型枠構造及び基礎型枠の構築方法を示す斜視図である。
【図３】本発明の実施形態に係る家屋の基礎型枠構造及び基礎型枠の構築方法を示す平面図である。
【図４】捨てコンクリートの打設完了までの作業工程を示した断面図である。
【図５】鉄筋の組立が完了するまでの作業工程を示した断面図である。
【図６】外側断熱型板を立設した状態までの作業工程を示した断面図である。
【図７】基礎コンクリート土台打設後の状態までの作業工程を示した断面図である。
【図８】内側断熱型板を立設した状態までの作業工程を示した断面図である。
【図９】基礎コンクリート枠体のコンクリート打設前までの作業工程を示した断面図である。
【図１０】基礎コンクリート枠体のコンクリート打設後の状態までの作業工程を示した断面図である。
【図１１】本発明の実施形態に使用する上突っかい棒の組み立て手順の説明図である。
【図１２】本発明の実施形態に使用する下突っかい棒の組み立て手順の説明図である。
【図１３】本発明の実施形態に使用する断熱パネルの斜視図である。
【図１４】本発明の実施形態に使用する断熱パネルの他の形態の斜視図である。
【図１５】本発明の実施形態にかかる外側断熱板を縦桟で補強した状態を示す斜視図である。
【図１６】本発明の実施形態にかかる外側断熱板を横桟で補強した状態を示す斜視図である。
【図１７】本発明の実施形態にかかる家屋の基礎型枠構造における型枠の角部を示す斜視図である。
【図１８】本発明の実施形態にかかる家屋の基礎型枠構造を逆ベタ基礎に適用した状態を示す斜視図である。
【発明を実施するための形態】
【００２４】
以下、本発明の家屋の基礎型枠構造の実施の形態を図面に基づいて説明する。図１及び図２に示すように、本基礎型枠を配設する位置を所定の深さに掘った穴（根切り）に小塊状の割栗石１を敷き込み、目潰し砂利を撒いて突き固め、その上に捨てコンクリート（捨てコン）２を打設、又は断熱材３を敷設し、捨てコンクリート２の上に地上面から一定高さに、発泡樹脂材の外側断熱型板４を立設し、当該外側断熱型板４は下半分を地中に埋設すると共に、上半分を地上面に立設して構成する。
【００２５】
また、内側断熱型板８は、捨てコンクリート２上に当該外側断熱型板４を型枠に使用して打設した基礎コンクリート土台６のコンクリート地上面に敷設した基礎の上に、地上面より一定高さに外側断熱型板４との外壁厚みを保持して立設する。本発明の家屋の基礎型枠構造は以上のような構成である。
【００２６】
そして、内外側断熱型板４、８間にコンクリート１３を打設することにより基礎コンクリート枠体２０を形成するものである。さらに、コンクリート１３上に家屋土台１６を載置し、アンカーボルト１１により連結固定することで家屋土台１６が完成する。
【００２７】
次に、本発明の家屋の基礎型枠の構築方法の実施の形態を図面に基づいて説明する。図４に示すように、まず本基礎型枠を配設する位置に所定の深さの穴を掘り（根切りし）、その上に小塊状の割栗石１を敷き込み、目潰し砂利（図示せず）を撒いて突き固める。次に、家屋の土台が位置する割栗石１上に捨てコンクリート２を打設し、それ以外の割栗石１上に断熱材３を敷設する。
【００２８】
次に、図５に示すように、前記捨てコンクリート２及び断熱材３上に、高さ略６０ｍｍの略直方体のスペーサ（いわゆるサイコロ）６１を所定の間隔で配設し、その上に後述する基礎コンクリート土台６の骨格となる鉄筋６２を所定の間隔、例えば１５０ｍｍ乃至３００ｍｍピッチで格子状に配設する。
【００２９】
また、鉄筋６２はサイズがＤ１０又はＤ１３の物を使用する。ここでＤ１０とは直径１０ｍｍの鉄筋を指し、Ｄ１３とは直径１３ｍｍの鉄筋を指す。その後、立設する外側断熱型板４と、内側断熱型板８との略中間の位置に鉄筋６３を所定の間隔で立設する。立設した際の鉄筋６３の高さは捨てコンクリート２の表面から略５００ｍｍ程度とする。
【００３０】
次に、図５に示すように、立設した各鉄筋６３を鉄筋６４及び鉄筋６５を結節して横架することで鉄筋６３の立設状態を維持できるように構成されている。具体的な結節箇所は、鉄筋６３の頂部にＤ１３の鉄筋６５を横架し、結節部をスポット溶接し固設する。また、鉄筋６３の高さ方向の略中間部分にＤ１０の鉄筋６４を横架し、結節部をスポット溶接または鉄線で固設する。さらに、断熱材３上に図示しない間仕切土間用の鉄筋も立設し、同様にこの間仕切土間用の鉄筋同士を横架固設する。
【００３１】
次に、図６に示すように、捨てコンクリート２の上に外側断熱型板４を立設固定するための断面略コの字状で外側断熱型板４の長手方向に延伸する溝型鋼の下枠固定材３１を、溝部を上にして捨てコンクリート２上にビス等の固定具を使用して敷設固定する。そして、当該溝部に発泡樹脂材からなる矩形板状の断熱パネルの長手方向を嵌着し、外側断熱型板４を立設固定する。外側断熱型板４の寸法は厚さ３０乃至５０ｍｍ、高さは略６１０ｍｍ、長手方向の長さは略１８００ｍｍ、９００ｍｍ又は４５０ｍｍであり、必要に応じて、これらを横方向に順次繋ぎ合わせて外側断熱型板４とする。
【００３２】
なお、外側断熱型板４同士を横方向に順次繋ぎ合わせる際は、図１３に示すように外側断熱型板４の長手方向の端面同士を接合しても良い。また、図１４に示すように外側断熱型板４の長手方向両端部に略半分の厚みで段差４１を形成し、この段差４１同士を接合しても良い。
【００３３】
次に、図６、図２及び図３に示すように、前記外側断熱型板４の頂部に上枠固定補強材３３を載置し、更にその上に断面略コの字状で長手方向に延伸する溝型の上枠固定材３２を嵌着して外側断熱型板４を補強することで、基礎コンクリート土台６を打設した際の荷重に対する変形抑制機構を形成する。なお、上枠固定材３２及び上枠固定補強材３３は木やプラスチック、又はステンレスなど基礎コンクリート土台６を打設した際に外側断熱型板４が変形しなければどのような材質を用いても良い。
【００３４】
次に、上枠固定材３２の頂部に所定の間隔ごとに上突っかい棒固定部５１を載置し、図１１に示すように、２乃至３本のネジ５１５で外側断熱型板４の頂部に固設する。そして、この上突っかい棒固定部５１のボルト挿通孔５１１と、上突っかい棒５３の端部に設けた貫通孔５３１とにボルト５１２を挿通し、ボルト５１２を挿通した反対側からワッシャ５１３を介してナット５１４を螺合し、上突っかい棒５３を上突っかい棒固定部５１に傾動自在に連結する。
【００３５】
上突っかい棒固定部５１は、鋼板またはステンレス板を使用し、図１１に示すように、厚さ略５乃至７ｍｍの矩形の板状で、長手方向の一端近傍の略中央に直径１４乃至１５ｍｍの貫通孔５１６を穿設し、その周囲に直径略４乃至５ｍｍの貫通孔５１７を２乃至３個配設した基盤部５１８と、基盤部５１８の他端には一定間隔で対向して立設する２個の略半小判形で、その中央に直径１０乃至１２ｍｍのボルト挿通孔５１１を穿設したボルト固定部５１９とから形成している。
【００３６】
また、上突っかい棒５３は、Ｄ１２乃至Ｄ１４の丸鋼を使用し、その一端は直径１０乃至１５ｍｍの輪づくりにより貫通孔５３１を形成し、他端には右ネジ５３２を施条し、仕上がり全長は略５０乃至１００ｍｍであり、基本的に全て略同一の長さに形成されている。
【００３７】
次に、図３及び図１２に示すように、外側断熱型板４の頂部に固設した上突っかい棒固定部５１の位置から隣地との境界方向の所定位置の地面に、下突っかい棒固定部５２を配設する。そして、杭５９を下突っかい棒固定部５２の一端部に形成した貫通孔５２６に挿通し、地面に打ち込んで、当該下突っかい棒固定部５２を地面に固設する。この杭５９は、頂部の形状をＵ形または丸形で形成し、Ｄ１０乃至１３の丸鋼からなり、長さ４００乃至６００ｍｍのものを使用する。
【００３８】
下突っかい棒固定部５２は、前記上突っかい棒固定部５１と同一物である。すなわち、両者は、下突っかい棒固定部５２としても上突っかい棒固定部５１としても使用可能な形状とすることで、工事現場で使い分ける煩雑さを解消している。
【００３９】
次に、図１１に示すように、上突っかい棒５３の他端に施条されている右ネジ５３２と、ターンバックル５５の一端の右ネジ部５５１とをターンバックル５５を右回動させて螺合させる。
【００４０】
また、図１２に示すように、下突っかい棒５４は、上突っかい棒５３よりも長く、仕上がり全長が略３００乃至６００ｍｍであり、他端は左ネジ５４２を施条している。その他は、上突っかい棒５３と同一材料、同一構造である。この他端の左ネジ５４２を、ターンバックル５５の他方の左ネジ部５５２に挿入し、回動させて螺合させる。
【００４１】
次に、前記地面に固設した下突っかい棒固定部５２のボルト挿通孔５２１と下突っかい棒５４の端部に設けた貫通孔５４１とにボルト５２２を挿通し、ボルト５２２を挿通した反対側からワッシャ５２３を介してナット５２４で螺合し、下突っかい棒５４を下突っかい棒固定部５２に傾動自在に連結する。
【００４２】
このように、下突っかい棒５４の長さを、上突っかい棒５３の長さよりも長くすることで、ターンバックル５５を外側断熱型板４の高い位置に揃えることができ、作業員の作業がしやすくなる。また、ターンバックル５５を地面から高い位置に配設することにより、作業員が腰を屈めて作業する必要がなくなり、腰痛を惹起する恐れを解消する効果がある。
【００４３】
以上のような構成とすることにより、ターンバックル５５を右回動させると収縮し、左回動させると伸張する伸縮自在の突っかい棒５を形成する。そして、ターンバックル５５を右または左に回動させて外側断熱型板４が鉛直に立設するように突っかい棒５の長さを調整し、外側断熱型板４の頂部を内側方向に押圧する。
【００４４】
次に、図７に示すように、前記外側断熱型板４の内側にコンクリートを打設して基礎コンクリート土台６を形成する。すなわち、基礎コンクリート土台６を形成するためのコンクリート打設用の型枠として外側断熱型板４を利用する。打設するコンリートの厚みは根切りの位置では略２７５ｍｍとし、土間部分では略１５０ｍｍとする。
【００４５】
次に、図８に示すように、当該基礎コンクリート土台６上に前記外側断熱型板４に対向して下枠固定材３１をビス等を使用して敷設し、当該下枠固定材３１の溝部に発泡樹脂材からなる矩形板状の断熱パネルの長手方向を嵌着し、内側断熱型板８を立設固定する。
【００４６】
内側断熱型板８を構成する断熱パネルの標準寸法は外側断熱型板４の場合と同様であり、所定の規格化された寸法の断熱パネルを必要に応じて横方向に順次繋ぎ合わせて内側断熱型板８を形成する。
【００４７】
なお、外側断熱型板４と同様に、内側断熱型板８同士を横方向に順次繋ぎ合わせる際は、図１３に示すように内側断熱型板８の長手方向の端面同士を接合しても良い。また、図１４に示すように内側断熱型板８の長手方向両端部に略半分の厚みで段差４１を形成し、この段差４１同士を接合しても良い。
【００４８】
次に、図８に示すように、外側断熱型板４と同様に、内側断熱型板８の頂部に金属製の上枠固定補強材３３を載置し、更にその上に断面略コの字状で長手方向に延伸する溝型鋼の上枠固定材３２を嵌着して内側断熱型板８を補強し、後述するコンクリート１３を外側断熱型板４と内側断熱型板８の間に打設した際の荷重に対する変形抑制機構を形成する。
【００４９】
次に、図２、図３に示すように、前記各上突っかい棒固定部５１間の略中間位置に型板セパレータ９とアンカー保持部１０を配設しており、この型板セパレータ９とアンカー保持部１０は外側断熱型板４の頂部と内側断熱型板８の頂部とを挟持している。
【００５０】
但し、型板セパレータ９とアンカー保持部１０は挟持した状態のままだと内側断熱型板８が内側に湾曲してしまうおそれがあるため、外側断熱型板４の内壁と内側断熱型板８の内壁の間に後述する内セパレータ１２を張設し、内側に湾曲することを防止する。内セパレータ１２は、鉄筋又はアルミやステンレスの棒を寸切りしたものであり、図８に示すように、上突っかい棒固定部５１の取付け位置の下部であって、鉄筋６３の頂部よりやや上方に張設するのが望ましい。
【００５１】
また、型板セパレータ９は略縦長コの字状で、コの字の両端または一端に内外側断熱型板４、８の頂部を挟持するコの字状の把持部をさらに有する金具であり、厚さ１．０ｍｍ乃至１．６ｍｍの鋼板またはステンレス板で構成している。
【００５２】
アンカー保持部１０は、前記型板セパレータ９と外形及び構造は共通し、鋼板、アルミ板又はステンレス板を使用して形成された金具である。型板セパレータ９との相違点は、外側断熱型板４寄りの位置に丸孔を穿設し、その周面をゴムパッキンで縁取りし、このゴムパッキンの中心にアンカーボルト挿通孔１０１を形成していることである。
【００５３】
次に、図３及び図９に示すように、アンカー保持部１０のアンカーボルト挿通孔１０１にアンカーボルト１１を挿通し位置を固定する。アンカーボルト１１は引き抜き強度を確保するためＭ１２ネジの長さ略４００ｍｍのＬ形アンカーボルトまたはＵ形アンカーボルトを使用する。
【００５４】
当該アンカーボルト１１の先端部のＬ字形状部、及びＵ字形状部は内外側断熱型板４、８と干渉しないよう、各断熱型板４、８の内壁面と平行となる向きに固定する。また、アンカーボルト１１の位置を固定する場合は、補助金物６７を利用して近傍の鉄筋６３に垂直に固定する。
【００５５】
以上で、図９に示すように、本発明に係る家屋の基礎型枠の組立が完成する。
次に、この型枠内にバイブレータを使用してコンクリート１３を打設し、図１０に示すような基礎コンクリート土台６と連続した基礎コンクリート枠体２０を形成する。
【００５６】
そして、コンクリート１３の養生後、地面に打ち込んだ杭５９を抜き、上下突っかい棒固定部５１、５２を取り外し、突っかい棒５を撤去する。また、アンカー保持部１０及び型板セパレータ９も撤去する。
【００５７】
次に、図１に示すように外側断熱型板４の表面にモルタル１４を塗布し、養生後、掘削した地面１５を埋め戻すことにより、図1に示すように、両側面が断熱、遮音及び防湿加工された基礎コンクリート枠体２０が完成する。
【００５８】
さらに、その上に家屋土台１６を載置し、アンカーボルト１１に施条されたネジにナット及び座金を使用して基礎コンクリート枠体２０に連設固定することにより、家屋土台１６の構築が完了する。
【００５９】
本発明に係る家屋の基礎型枠構造及び基礎型枠の構築方法は、従来工法に比べて、型枠の撤去は不要であるため、工事完了後撤去する必要があるものは上記の小物の金具類のみであり、撤去工事の負担が大幅に軽減されると共に、搬出や輸送負担も軽減され、ひいては、工期を大幅に短縮することができる。
【００６０】
また、本発明に係る家屋の基礎型枠構造において、図１５に示すように、外側断熱型板４と内側断熱型板８の間に打設したコンクリート１３が型板同士の連結部分から外部に漏洩しないように外側断熱型板４の外部に縦桟２００を配置する構成としてもよい。
【００６１】
この縦桟２００は外側断熱型板４同士の連結部を覆い隠すように外側断熱型板４の外側面に配設している。縦桟２００は、外側断熱型板４の下側に位置する下枠固定材３１の外側面と外側断熱型板４の上部に配設した上枠固定材３２の外側面、及び上枠固定材３２の上面にビス等を利用して固定している。
【００６２】
また、縦桟２００は上述の上突っかい棒固定部５１を外側断熱型板４の上下方向略中央部から上端部の間にネジを利用して固定し、上突っかい棒固定部５１に連結した上突っかい棒５３、ターンバックル５５、下突っかい棒５４、下突っかい棒固定部５２の順で地面１５と連結している。
【００６３】
従って、外側断熱型板４の継ぎ目に配設された縦桟２００の支持力をターンバックル５５の回転だけで容易に調整できる。
【００６４】
また、このように構成することで外側断熱型板４と内側断熱型板８の間にコンクリート１３を打設した際に、外側断熱型板４同士の連結部分から打設したコンクリート１３の漏洩を縦桟２００によって防止すると共に、打設したコンクリート１３の圧力により外側断熱型板４が変形することを防止している。
【００６５】
また、本発明に係る家屋の基礎型枠構造において、図１６に示すように、外側断熱型板４と内側断熱型板８の間に打設したコンクリートが型板同士の連結部分から外部に漏洩することを規制する手段として、外側断熱型板４の外側面に横桟３００を添設する構成としてもよい。
【００６６】
この横桟３００は、外側断熱型板４の外側面に外側断熱型板４の上下方向略中央の高さで外側断熱型板４の長手方向に沿って添設している。横桟３００は、家屋周縁部の角部に位置する外側断熱型板４同士の固定用部材として配設するＬ字型のアングル（図示せず）の外側面にビス等を介して連結固定されている。
【００６７】
また、横桟３００の外側面には上突っかい棒固定部５１ａをネジ等で固定している。この上突っかい棒固定部５１ａは上述の上突っかい棒固定部５１と同一の構成であり、上突っかい棒固定部５１ａから上突っかい棒５３ａ、ターンバックル５５ａ、下突っかい棒５４ａ、下突っかい棒固定部５２ａの順番で上方から下方に向けて連結している。
【００６８】
また、下突っかい棒固定部５２ａは下突っかい棒５４に連結固定している。このように構成することで、外側断熱型板４は下部に配設した下枠固定材３１と、上部に配設した上枠固定材３２と横桟３００とで位置規制されると共に、外側断熱型板４の上部及び中部に連結したターンバックル５５、５５ａによる支持力の調整によりコンクリートを打設した際の変形を抑制している。
【００６９】
また、本発明に係る家屋の基礎型枠構造において、外側断熱型板４と内側断熱型板８の間に打設したコンクリートが型板同士の連結部分から外部に漏洩することを規制する手段として、外側断熱型板４と同様に、内側断熱型板８の連結部分に縦桟２００を設けることで打設したコンクリートの漏洩防止及び型板の変形抑制機構として構成していても良い。また、内側断熱型板８の長手方向に沿って横桟３００を配設して、コンクリートの漏洩防止及び型板の変形抑制機構として構成していても良い。
内側断熱型板８同士の連結部の構成は、いずれにしても、その連結部分から打設したコンクリートが漏洩しない、または、コンクリート打設時に変形しなければどのような接合形態、漏洩防止構造で構成されていても良い。
【００７０】
また、外側断熱型板４の連結角部には、外側断熱型板４の上端部同士を斜めに連結するように補強部材１８を架設してもよい。補強部材１８は断面視略方形状で外側断熱型板４の上面にビス等を介して固定している。
【００７１】
このように、家屋周縁部の角部に位置する外側断熱型板４は、補強部材１８で固定しており、コンクリート１３を打設した際に外側断熱型板４の連結角部が外方に変形することを規制し、外側断熱型板４同士の連結部分から外方にコンクリート１３が漏洩することを防止できる。
【００７２】
また、家屋周縁部の角部に位置する内側断熱型板８には外側断熱型板４同士を連結する補強部材１８と同様に、内側断熱型板８の上面に補強部材１９を架設している。この補強部材１９は内側断熱型板８の上面にビス等で固定している。
このように、家屋周縁部の角部に配設する内側断熱型板８は、補強部材１９で固定しており、コンクリート１３を打設した際に連結した内側断熱型板８が外方に変形することを規制し、内側断熱型板８同士の連結部分から外方にコンクリート１３が漏洩することを防止できる。
【００７３】
上記のように家屋周縁部の角部に連結配置した外側断熱型板４と内側断熱型板８を補強部材１８，１９で連結固定することで外側断熱型板４と内側断熱型板８との間の建築家屋の立ち上がり土台として形成されるコンクリート１３が内外側断熱型板４、８の各連結部分から漏洩することを防止すると共に、確実に所定の立ち上がり部を形成することができる。
【００７４】
以上のように、本発明に係る家屋の基礎型枠構造及び基礎型枠構築方法は、上述した実施の形態に限定されず、本発明の趣旨に沿う範囲で、種々の態様を採用することができる。
【００７５】
上下突っかい棒固定部５１、５２は、図１１、１２に示した形状や構造に限定されるものではなく、本発明の趣旨に沿って伸縮自在の突っかい棒５の機能を実現するものであれば、どのような形状や構造であっても差し支えない。
【００７６】
また、内外側断熱型板４、８の頂部を挟持するアンカー保持部１０や型板セパレータ９の形状や構造は、本発明の趣旨に沿って挟持固定する機能を実現するものであれば、どのような形状や構造であっても差し支えない。
【００７７】
また、説明した突っかい棒５を構成する上突っかい棒固定部５１、下突っかい棒固定部５２、上突っかい棒５３、下突っかい棒５４及びターンバックル５５の組み立て手順は、その一例を示したものであって、上記説明の手順に限定されるものではなく、現場の実情に応じて作業のやりやすい手順に変更することは何ら差し支えない。
【００７８】
また、上突っかい棒５３や下突っかい棒５４の長さは、あくまでも標準的な寸法であって、本発明の実施がその寸法に限定されるものでないことはいうまでもなく、建築家屋の仕様や現場の状況に応じて本発明の趣旨に沿って適切な寸法にすることは何ら差し支えない。
【００７９】
また、外側断熱型板４から隣地との境界方向の所定位置に、所定の間隔で下突っかい棒固定部５２を配設し、地面に固設するために打ち込む杭は、金属製の杭５９の他に、プラスチック製の杭を使用すれば軽量化により、搬入や搬出の負担を軽減することができる。
【００８０】
また、外側断熱型板４から隣地との境界方向の距離に余裕がない場合は、図２や図３に示すような配置をすることができない。そこで、その場合は隣地との境界近傍の地面に木製の杭を打ち込み、その木製の杭の頂部近傍又は側面部に下突っかい棒固定部５２を、貫通孔５１７を利用してネジ止めし、下突っかい棒５４と当該下突っかい棒固定部５２とを、ワッシャ５２３を介してボルト５２２とナット５２４で螺合し、下突っかい棒５４を木製の杭に傾動自在に連結することにより、外側断熱型板４を突っかい棒５を介して木製の杭に連結固定してもよい。
【００８１】
この場合に使用する杭の形状は４５ｍｍ角で長さ４００ｍｍ乃至６００ｍｍ程度の物が考えられる。このように構成することにより、突っかい棒５の傾き角度を所定の角度に保つことができる。また、地盤によっては抜け防止のために表面にらせん状の溝を有する杭を使用し、地面にネジ込むようにしてもよい。
【００８２】
また、断熱材３の下に防湿シート（図示せず）を敷き詰めて、その上に基礎コンクリート土台６を打設形成することで防湿効果をより一層高めることもできる。
【００８３】
また、上述した実施形態においては、ベタ基礎を想定して説明をしてきたが、本発明の基礎コンクリート土台６の構成は、図１８に示すように逆ベタ基礎６ａにおいても同様の構成で構築できる。なお、建築家屋の基礎を逆ベタ基礎６ａとした場合、コンクリートを打設する際には内側断熱型板８を必要とせずに外側断熱型板４のみで構成できる。
【００８４】
また、基礎コンクリート土台６とコンクリート１３との打継ぎ部分の外側面には、防湿シート１７を設けても良い。防湿シート１７は、基礎コンクリート土台６とコンクリート１３との連結形成された僅かな隙間から滲入する水分を防止し、建築家屋の基礎部分にカビの繁殖やシロアリの発生を防止することができる。
【符号の説明】
【００８５】
１      割栗石
２      捨てコンクリート
３      断熱材
４      外側断熱型板
５      突っかい棒
６、６ａ基礎コンクリート土台
８      内側断熱型板
９      型板セパレータ
１０    アンカー保持部
１１    アンカーボルト
１２    内セパレータ
１３    コンクリート
１４    モルタル
１５    地面
１６    家屋土台
１７    防湿シート
１８，１９  補強部材
２０    基礎コンクリート枠体
３１    下枠固定材
３２    上枠固定材
３３    上枠固定補強材
４１    段差
５１、５１ａ  上突っかい棒固定部
５２、５２ａ  下突っかい棒固定部
５３、５３ａ  上突っかい棒
５４、５４ａ  下突っかい棒
５５、５５ａ  ターンバックル
５９    杭
６１    スペーサ
６２〜６５    鉄筋
６７    補助金物
１０１  アンカーボルト挿通孔
２００  縦桟
３００  横桟
【図１】
2019157614.tif 000003
【図２】
2019157614.tif 000004
【図３】
2019157614.tif 000005
【図４】
2019157614.tif 000006
【図５】
2019157614.tif 000007
【図６】
2019157614.tif 000008
【図７】
2019157614.tif 000009
【図８】
2019157614.tif 000010
【図９】
2019157614.tif 000011
【図１０】
2019157614.tif 000012
【図１１】
2019157614.tif 000013
【図１２】
2019157614.tif 000014
【図１３】
2019157614.tif 000015
【図１４】
2019157614.tif 000016
【図１５】
2019157614.tif 000017
【図１６】
2019157614.tif 000018
【図１７】
2019157614.tif 000019
【図１８】
2019157614.tif 000020